(57)【特許請求の範囲】
【請求項１】
端末に適用される無線アクセスポイントの制御方法であって、
前記端末が、ユーザによるＷｉ-Ｆｉチップを内蔵するスマート家電機器に対する制御イベントがトリガされたことを検出すると、前記制御イベントに対応するサービスセット識別子（ＳＳＩＤ）を取得するステップと、
前記端末が、前記制御イベントに対応するＳＳＩＤに基づいて指定の無線LANブロードキャストメッセージを生成するステップと、
前記端末が、前記スマート家電機器が前記指定の無線LANブロードキャストメッセージを受信するとともに前記指定の無線LANブロードキャストメッセージに応じて前記スマート家電機器の前記Ｗｉ-Ｆｉチップをモニタリングモードから無線アクセスポイントモードに切り替えるように、前記指定の無線LANブロードキャストメッセージをブロードキャスト送信するステップと、を含むことを特徴とする無線アクセスポイントの制御方法。
【請求項２】
前記制御イベントに対応するＳＳＩＤに基づいて指定の無線LANブロードキャストメッセージを生成するステップは、
指定の無線LANブロードキャストメッセージにおけるＳＳＩＤフィールドにおいて、前記ＳＳＩＤフィールドにおけるコンテンツを前記制御イベントに対応するＳＳＩＤに設定するステップを含むことを特徴とする請求項１に記載の無線アクセスポイントの制御方法。
【請求項３】
前記指定の無線LANブロードキャストメッセージは、ａｓｓｏｃｉａｔｉｏｎ  ｒｅｑｕｅｓｔメッセージであることを特徴とする請求項１または２に記載の無線アクセスポイントの制御方法。
【請求項４】
前記制御イベントに対応するサービスセット識別子（ＳＳＩＤ）を取得するステップの前に、さらに、
ユーザが制御応用において指定の操作を行った場合、スマート家電機器に対する制御イベントがトリガされたことを検出したと特定するステップを含むことを特徴とする請求項１に記載の無線アクセスポイントの制御方法。
【請求項５】
Ｗｉ-Ｆｉチップを内蔵するスマート家電機器に適用される無線アクセスポイントの制御方法であって、
前記スマート家電機器が、端末から発送された指定の無線LANブロードキャストメッセージを受信し、前記指定の無線LANブロードキャストメッセージに携えられたＳＳＩＤを取得するステップと、
前記スマート家電機器が、前記指定の無線LANブロードキャストメッセージに携えられたＳＳＩＤが指定のＳＳＩＤと同じであるかどうかを特定するステップと、
前記指定の無線LANブロードキャストメッセージに携えられたＳＳＩＤが指定のＳＳＩＤと同じである場合、前記スマート家電機器が、前記スマート家電機器の前記Ｗｉ-Ｆｉチップをモニタリングモードから無線アクセスポイントモードに切り替えるように制御するステップと、を含むことを特徴とする無線アクセスポイントの制御方法。
【請求項６】
端末に適用される無線アクセスポイントの制御装置であって、
ユーザによるＷｉ-Ｆｉチップを内蔵するスマート家電機器に対する制御イベントがトリガされたことを検出すると、前記制御イベントに対応するサービスセット識別子（ＳＳＩＤ）を取得するための第１の取得モジュールと、
前記制御イベントに対応するＳＳＩＤに基づいて指定の無線LANブロードキャストメッセージを生成するための生成モジュールと、
前記スマート家電機器が前記指定の無線LANブロードキャストメッセージを受信するとともに前記指定の無線LANブロードキャストメッセージに応じて前記スマート家電機器の前記Ｗｉ-Ｆｉチップをモニタリングモードから無線アクセスポイントモードに切り替えるように、前記指定の無線LANブロードキャストメッセージをブロードキャスト送信するための送信モジュールと、を備える無線アクセスポイントの制御装置。
【請求項７】
前記生成モジュールは、
指定の無線LANブロードキャストメッセージにおけるＳＳＩＤフィールドにおいて、前記ＳＳＩＤフィールドにおけるコンテンツを前記制御イベントに対応するＳＳＩＤに設定することを特徴とする請求項６に記載の無線アクセスポイントの制御装置。
【請求項８】
前記指定の無線LANブロードキャストメッセージは、ａｓｓｏｃｉａｔｉｏｎ
ｒｅｑｕｅｓｔメッセージであることを特徴とする請求項６または７に記載の無線アクセスポイントの制御装置。
【請求項９】
ユーザが制御応用において指定の操作を行った場合、スマート家電機器に対する制御イベントがトリガされたことを検出したと特定するための第１の特定モジュールをさらに備えることを特徴とする請求項６に記載の無線アクセスポイントの制御装置。
【請求項１０】
Ｗｉ-Ｆｉチップを内蔵するスマート家電機器に適用される無線アクセスポイントの制御装置であって、
端末が発送した指定の無線LANブロードキャストメッセージを受信するための受信モジュールと、
前記指定の無線LANブロードキャストメッセージに携えられたＳＳＩＤを取得するための第２の取得モジュールと、
前記指定の無線LANブロードキャストメッセージに携えられたＳＳＩＤが指定のＳＳＩＤと同じであるかどうかを特定するための第２の特定モジュールと、
前記指定の無線LANブロードキャストメッセージに携えられたＳＳＩＤが指定のＳＳＩＤと同じである場合、前記スマート家電機器の前記Ｗｉ-Ｆｉチップをモニタリングモードから無線アクセスポイントモードに切り替えるように制御するための制御モジュールと、を備えることを特徴とする無線アクセスポイントの制御装置。
【請求項１１】
プロセッサと、
プロセッサの実行可能な指令を記憶するためのメモリとを備え、
前記プロセッサは、
ユーザによるＷｉ-Ｆｉチップを内蔵するスマート家電機器に対する制御イベントがトリガされたことを検出すると、前記制御イベントに対応するサービスセット識別子（ＳＳＩＤ）を取得し、
前記制御イベントに対応するＳＳＩＤに基づいて指定の無線LANブロードキャストメッセージを生成し、
前記スマート家電機器が前記指定の無線LANブロードキャストメッセージを受信するとともに前記指定の無線LANブロードキャストメッセージに応じて前記スマート家電機器の前記Ｗｉ-Ｆｉチップをモニタリングモードから無線アクセスポイントモードに切り替えるように、前記指定の無線LANブロードキャストメッセージをブロードキャスト送信するように構成されることを特徴とする端末。
【請求項１２】
Ｗｉ-Ｆｉチップを内蔵するスマート家電機器であって、
プロセッサと、
プロセッサの実行可能な指令を記憶するためのメモリとを備え、
前記プロセッサは、
端末から発送された指定の無線LANブロードキャストメッセージを受信し、前記指定の無線LANブロードキャストメッセージに携えられたＳＳＩＤを取得し、
前記指定の無線LANブロードキャストメッセージに携えられたＳＳＩＤが指定のＳＳＩＤと同じであるかどうかを特定し、
前記指定の無線LANブロードキャストメッセージに携えられたＳＳＩＤが指定のＳＳＩＤと同じである場合、前記スマート家電機器の前記Ｗｉ-Ｆｉチップをモニタリングモードから無線アクセスポイントモードに切り替えるように制御するように構成されることを特徴とするスマート家電機器。
【請求項１３】
プロセッサに実行されることにより、請求項１から請求項５のいずれか１項に記載の無線アクセスポイントの制御方法を実現することを特徴とするプログラム。
【請求項１４】
請求項１３に記載のプログラムが記録された記録媒体。
【発明の詳細な説明】
【技術分野】
【０００１】
本開示は、スマート機器分野に関し、特に無線アクセスポイントの制御方法、装置、プログラムおよび記録媒体に関する。
【背景技術】
【０００２】
スマート機器技術の発展につれて、各種のスマート機器は、段々人々の生活で普及するようになってきている。スマート機器にＷｉ-Ｆｉ（登録商標）（Ｗｉｒｅｌｅｓｓ-Ｆｉｄｅｌｉｔｙ、無線忠実度、無線ＬＡＮ）チップが内蔵されており、当該Ｗｉ-Ｆｉチップにより、自分がネットワークにアクセス可能であり、ユーザは、制御指令をスマート端末を利用して自分に関連するスマート機器へ送信して、家電製品に対する遠隔制御を実現する。
【０００３】
スマート機器のＷｉ-Ｆｉチップがモニタリングモードに設定されるのは一般的であり、その際、モニタリングモードにおいてネットワークにアクセスすることができる。しかし、幾つかの特定の場面、例えば、Ｗｉ-Ｆｉチップに故障が起きてネットワークにアクセスできないときに、Ｗｉ-Ｆｉチップが無線アクセスポイント機能をＯＮにする必要がある。こうして、スマート端末が当該Ｗｉ-Ｆｉチップの所属するネットワークにアクセスし、故障の原因を探り出すことが可能となる。ただし、Ｗｉ-Ｆｉチップが無線アクセスポイント機能をＯＮにする方式とは、ユーザがスマート機器のボディにおける実体であるボタンあるいはキーを制御して、Ｗｉ-Ｆｉチップの動作モードを無線アクセスポイントモードに切り替えることを指す。
【発明の概要】
【発明が解決しようとする課題】
【０００４】
関連技術の問題を解決するために、本開示の実施例は、無線アクセスポイントの制御方法、装置、プログラムおよび記録媒体を提供する。前記技術方案は、下記の通りである。
【課題を解決するための手段】
【０００５】
本開示の実施例の第１の態様によれば、無線アクセスポイントの制御方法を提供する。前記方法は、
スマート機器に対する制御イベントがトリガされたことが検出されると、前記制御イベントに対応するサービスセット識別子（ＳＳＩＤ）を取得するステップと、
前記制御イベントに対応するＳＳＩＤに基づいて指定の無線LANブロードキャストメッセージを生成するステップと、
前記スマート機器が前記指定の無線LANブロードキャストメッセージに応じて無線アクセスポイント機能を有効にするように、前記指定の無線LANブロードキャストメッセージをブロードキャスト送信するステップとを含む。
【０００６】
好ましくは、前記制御イベントに対応するＳＳＩＤに基づいて指定の無線LANブロードキャストメッセージを生成するステップは、
指定の無線LANブロードキャストメッセージにおけるＳＳＩＤフィールドにおいて、前記ＳＳＩＤフィールドにおけるコンテンツを前記制御イベントに対応するＳＳＩＤに設定するステップを含む。
【０００７】
好ましくは、前記指定の無線LANブロードキャストメッセージは、ａｓｓｏｃｉａｔｉｏｎ ｒｅｑｕｅｓｔメッセージである。
【０００８】
好ましくは、前記前記制御イベントに対応するサービスセット識別子（ＳＳＩＤ）を取得するステップの前に、さらに、
ユーザが制御応用において指定の操作を行った場合、スマート機器に対する制御イベントがトリガされたことを検出したと特定するステップを含む。
【０００９】
本開示の実施例の第２の態様によれば、無線アクセスポイントの制御方法を提供する。前記方法は、
指定の無線LANブロードキャストメッセージを受信し、前記指定の無線LANブロードキャストメッセージに携えられたＳＳＩＤを取得するステップと、
前記指定の無線LANブロードキャストメッセージに携えられたＳＳＩＤが指定のＳＳＩＤと同じであるかどうかを特定するステップと、
前記指定の無線LANブロードキャストメッセージに携えられたＳＳＩＤが指定のＳＳＩＤと同じである場合、自分が無線アクセスポイント機能を有効にするように制御するステップとを含む。
【００１０】
本開示の実施例の第３の態様によれば、無線アクセスポイントの制御装置を提供する。前記装置は、
スマート機器に対する制御イベントがトリガされたことが検出されると、前記制御イベントに対応するサービスセット識別子（ＳＳＩＤ）を取得するための第１の取得モジュールと、
前記制御イベントに対応するＳＳＩＤに基づいて指定の無線LANブロードキャストメッセージを生成するための生成モジュールと、
前記スマート機器が前記指定の無線LANブロードキャストメッセージに応じて無線アクセスポイント機能を有効にするように、前記指定の無線LANブロードキャストメッセージをブロードキャスト送信するための送信モジュールとを備える。
【００１１】
好ましくは、前記生成モジュールは、
指定の無線LANブロードキャストメッセージにおけるＳＳＩＤフィールドにおいて、前記ＳＳＩＤフィールドにおけるコンテンツを前記制御イベントに対応するＳＳＩＤに設定する。
【００１２】
好ましくは、前記指定の無線LANブロードキャストメッセージは、ａｓｓｏｃｉａｔｉｏｎ ｒｅｑｕｅｓｔメッセージである。
【００１３】
好ましくは、前記装置は、
ユーザが制御応用において指定の操作を行った場合、スマート機器に対する制御イベントがトリガされたことを検出したと特定するための第１の特定モジュールをさらに備える。
【００１４】
本開示の実施例の第４の態様によれば、無線アクセスポイントの制御装置を提供する。前記装置は、
指定の無線LANブロードキャストメッセージを受信するための受信モジュールと、
前記指定の無線LANブロードキャストメッセージに携えられたＳＳＩＤを取得するための第２の取得モジュールと、
前記指定の無線LANブロードキャストメッセージに携えられたＳＳＩＤが指定のＳＳＩＤと同じであるかどうかを特定するための第２の特定モジュールと、
前記指定の無線LANブロードキャストメッセージに携えられたＳＳＩＤが指定のＳＳＩＤと同じである場合、自分が無線アクセスポイント機能を有効にするように制御するための制御モジュールとを備える。
【００１５】
本開示の実施例の第５の態様によれば、端末を提供する。前記端末は、
プロセッサと、
プロセッサの実行可能な指令を記憶するためのメモリとを備え、
前記プロセッサは、
スマート機器に対する制御イベントがトリガされたことが検出されると、前記制御イベントに対応するサービスセット識別子（ＳＳＩＤ）を取得し、
前記制御イベントに対応するＳＳＩＤに基づいて指定の無線忠実度（Ｗｉ-Ｆｉ）ブロードキャストメッセージを生成し、
前記スマート機器が前記指定の無線LANブロードキャストメッセージに応じて無線アクセスポイント機能を有効にするように、前記指定の無線LANブロードキャストメッセージをブロードキャスト送信するように構成される。
【００１６】
本開示の実施例の第６の態様によれば、スマート機器を提供する。前記スマート機器は、
プロセッサと、
プロセッサの実行可能な指令を記憶するためのメモリとを備え、
前記プロセッサは、
指定の無線LANブロードキャストメッセージを受信し、前記指定の無線LANブロードキャストメッセージに携えられたＳＳＩＤを取得し、
前記指定の無線LANブロードキャストメッセージに携えられたＳＳＩＤが指定のＳＳＩＤと同じであるかどうかを特定し、
前記指定の無線LANブロードキャストメッセージに携えられたＳＳＩＤが指定のＳＳＩＤと同じである場合、自分が無線アクセスポイント機能を有効にするように制御するように構成される。
本開示の実施例の第７の態様によれば、プロセッサに実行されることにより、本開示の実施例の第１または第２の態様に記載の無線アクセスポイントの制御方法を実現するプログラムを提供する。
本開示の実施例の第８の態様によれば、本開示の実施例の第７の態様に記載のプログラムが記録された記録媒体を提供する。
【発明の効果】
【００１７】
本開示の実施例による技術案は、以下の格別な効果を有することができる。
【００１８】
スマート機器に対する制御イベントがトリガされたときに、制御イベントに対応するＳＳＩＤに基づいて指定のＷｉ-Ｆｉブロードキャストメッセージを生成し、当該指定のＷｉ-Ｆｉブロードキャストメッセージをブロードキャストすることで、当該指定のＷｉ-Ｆｉブロードキャストメッセージを受信したスマート機器が自身の無線アクセスポイント機能を有効にする。これにより、スマート機器が無線アクセスポイント機能を有効にする操作手順が簡素化され、スマート機器の利用効率が向上する。
【００１９】
前記一般的な記述及び後続の詳細な記述は、単に例示的及び解釈的なものであり、本発明を制限できるものでないと理解されるべきである。
【図面の簡単な説明】
【００２０】
ここでの図面は、明細書を構成する一部として見なされ、本開示に適した実施例を示し、かつ、明細書の文字記載とともに本開示の仕組みを解釈するために用いられる。
【図１】一実施例による無線アクセスポイントの制御方法を示すフローチャートである。
【図２】一実施例による無線アクセスポイントの制御方法を示すフローチャートである。
【図３】一実施例による無線アクセスポイントの制御方法を示すフローチャートである。
【図４】一実施例による無線アクセスポイントの制御装置を示すブロック図である。
【図５】一実施例による無線アクセスポイントの制御装置を示すブロック図である。
【図６】一実施例による端末を示すブロック図である。
【図７】一実施例によるスマート機器を示すブロック図である。
【発明を実施するための形態】
【００２１】
本開示の目的、技術案および利点が明瞭になるように、以下で図面に合わせて本開示の実施方式をより詳細に記述する。
【００２２】
本開示の一実施例は、無線アクセスポイントの制御方法を提供し、この方法実施例は、端末に適用され、端末は、携帯電話、コンピュータ、デジタル放送端末、メッセージ送受信機器、ゲームコンソール、タブレットデバイス、医療設備、フィットネス機器、ＰＤＡなどであってもよい。図１を参照すると、方法フローは、
ステップ１０１では、スマート機器に対する制御イベントがトリガされたことが検出されると、制御イベントに対応するサービスセット識別子ＳＳＩＤを取得する。
【００２３】
ステップ１０２では、制御イベントに対応するＳＳＩＤに基づいて指定の無線忠実度Ｗｉ-Ｆｉブロードキャストメッセージを生成する。
【００２４】
ステップ１０３では、スマート機器がＷｉ-Ｆｉブロードキャストメッセージに応じて無線アクセスポイント機能を有効にするように、Ｗｉ-Ｆｉブロードキャストメッセージをブロードキャスト送信する。
【００２５】
本開示の実施例は、スマート機器に対する制御イベントがトリガされたときに、制御イベントに対応するＳＳＩＤに基づいて指定のＷｉ-Ｆｉブロードキャストメッセージを生成し、当該指定のＷｉ-Ｆｉブロードキャストメッセージをブロードキャストすることで、当該指定のＷｉ-Ｆｉブロードキャストメッセージを受信したスマート機器が自身の無線アクセスポイント機能を有効にする。これにより、スマート機器が無線アクセスポイント機能を有効にする操作手順が簡素化され、スマート機器の利用効率が向上する。
【００２６】
本開示の別の実施例は、無線アクセスポイントの制御方法を提供し、この方法実施例は、図２に示すように、スマート機器に適用される。好ましくは、前記スマート機器は、携帯電話、コンピュータ、デジタル放送端末、メッセージ送受信機器、ゲームコンソール、タブレットデバイス、医療設備、フィットネス機器、ＰＤＡなどであってもよい。好ましくは、前記スマート機器は、スマートルータ、スマート空気清浄機、スマート浄水器、スマートカメラなどであってもよい。
【００２７】
ステップ２０１では、指定のＷｉ-Ｆｉブロードキャストメッセージを受信し、指定のＷｉ-Ｆｉブロードキャストメッセージに携えられたＳＳＩＤを取得する。
【００２８】
ステップ２０２では、指定のＷｉ-Ｆｉブロードキャストメッセージに携えられたＳＳＩＤが指定のＳＳＩＤと同じであるかどうかを特定する。
【００２９】
ステップ２０３では、指定のＷｉ-Ｆｉブロードキャストメッセージに携えられたＳＳＩＤが指定のＳＳＩＤと同じである場合、自分が無線アクセスポイント機能を有効にするように制御する。
【００３０】
本開示の実施例は、指定のＷｉ-Ｆｉブロードキャストメッセージが受信されると、自身の無線アクセスポイント機能を有効にする。これにより、スマート機器が無線アクセスポイント機能を有効にする操作手順が簡素化され、スマート機器の利用効率が向上する。
【００３１】
本開示の別の実施例は、図３に示すように、無線アクセスポイントの制御方法を提供する。
【００３２】
ステップ３０１では、端末は、ユーザが制御応用において指定の操作を行ったと検出すると、スマート機器に対する制御イベントがトリガされたことを検出したと特定する。
【００３３】
その中、端末では制御応用を予めインストールし、当該制御応用は、システムＷｉ-Ｆｉをスケジューリングしてインタフェースを設定する能力を有し、端末が指定のＷｉ-Ｆｉブロードキャストメッセージを送信するように端末を駆動することができる。
【００３４】
ユーザがスマート機器を制御して無線アクセスポイントの機能をＯＮにする必要があるとき、端末で当該制御応用を起動し、且つ、本開示の実施例における、端末がシステムインターフェースをスケジューリングして指定のＷｉ-Ｆｉブロードキャストメッセージを送信するというフローがトリガされるように、指定の操作を実行する必要が生じる。
【００３５】
ただし、指定の操作は、制御応用における制御ボタンをクリックする操作等を含んでもよいが、それらに限定されない。
【００３６】
ステップ３０２では、スマート機器に対する制御イベントがトリガされたことが検出されると、制御イベントに対応するＳＳＩＤを取得する。
【００３７】
その中、制御応用には、制御イベントに対応するＳＳＩＤが予め記憶されており、当該ＳＳＩＤは、英文字のみより構成されたコンテンツであってもよいし、数字文字のみより構成されたコンテンツであってもよいし、英文字と数字文字を組み合わせて構成されたコンテンツであってもよい。他のネットワークアクセス機器が供給するＳＳＩＤと区分するように、当該ＳＳＩＤが唯一性を有する必要がある。
【００３８】
ステップ３０３では、指定のＷｉ-ＦｉブロードキャストメッセージにおけるＳＳＩＤフィールドにおいて、ＳＳＩＤフィールドにおけるコンテンツを制御イベントに対応するＳＳＩＤに設定する。
【００３９】
本開示の実施例では、指定のＷｉ-Ｆｉブロードキャストメッセージは、ａｓｓｏｃｉａｔｉｏｎ ｒｅｑｕｅｓｔメッセージであってもよい。当該メッセージは、開発者がＳＳＩＤフィールドにおけるコンテンツを修正することを許可する。
【００４０】
それ相応に、制御イベントに対応するＳＳＩＤで当該メッセージＳＳＩＤフィールドにおけるコンテンツを置換する。もし当該フィールドにおけるコンテンツがＮＵＬＬであれば、直接制御イベントに対応するＳＳＩＤを当該フィールドに書き込む。
【００４１】
ステップ３０４では、スマート機器がＷｉ-Ｆｉブロードキャストメッセージに応じて無線アクセスポイント機能を有効にするように、Ｗｉ-Ｆｉブロードキャストメッセージをブロードキャスト送信する。
【００４２】
その中、送信の手順は、指定のシステムインターフェースをスケジューリングして当該メッセージをブロードキャストする。
【００４３】
ステップ３０５では、スマート機器は、指定のＷｉ-Ｆｉブロードキャストメッセージを受信し、指定のＷｉ-Ｆｉブロードキャストメッセージに携えられたＳＳＩＤを取得する。
【００４４】
その際、スマート機器におけるＷｉ-Ｆｉチップは、モニタリング状態であり、他の端末またはネットワークアクセス機器から送信されたブロードキャストメッセージを受信することができる。
【００４５】
その中、メッセージに携えられたＳＳＩＤを取得する手順は、指定のＷｉ-ＦｉブロードキャストメッセージからＳＳＩＤフィールドを検索し、当該フィールドにおけるコンテンツを取得する。
【００４６】
ステップ３０６では、指定のＷｉ-Ｆｉブロードキャストメッセージに携えられたＳＳＩＤが指定のＳＳＩＤと同じであるかどうかを特定する。
【００４７】
スマート機器は、内蔵された記憶空間で指定のＳＳＩＤを予め記憶することで、当該予め記憶された指定のＳＳＩＤにて指定のＷｉ-Ｆｉブロードキャストメッセージを識別する。
【００４８】
ステップ３０７では、指定のＷｉ-Ｆｉブロードキャストメッセージに携えられたＳＳＩＤが指定のＳＳＩＤと同じである場合、自分が無線アクセスポイント機能を有効にするように制御する。
【００４９】
その際、自身のＷｉ-Ｆｉチップをモニタリングモードから無線アクセスポイントに対応するモードに切り替える。
【００５０】
本開示の実施例は、スマート機器に対する制御イベントがトリガされたときに、制御イベントに対応するＳＳＩＤに基づいて指定のＷｉ-Ｆｉブロードキャストメッセージを生成し、当該指定のＷｉ-Ｆｉブロードキャストメッセージをブロードキャストすることで、当該指定のＷｉ-Ｆｉブロードキャストメッセージを受信したスマート機器が自身の無線アクセスポイント機能を有効にする。これにより、スマート機器が無線アクセスポイント機能を有効にする操作手順が簡素化され、スマート機器の利用効率が向上する。
【００５１】
上記実施例で提供される無線アクセスポイントの制御方法に対応して、本開示の別の実施例は、図４に示すように、無線アクセスポイントの制御装置を提供する。当該装置は、
スマート機器に対する制御イベントがトリガされたことが検出されると、制御イベントに対応するサービスセット識別子ＳＳＩＤを取得するための第１の取得モジュール４０１と、
制御イベントに対応するＳＳＩＤに基づいて指定の無線忠実度Ｗｉ-Ｆｉブロードキャストメッセージを生成するための生成モジュール４０２と、
スマート機器が指定のＷｉ-Ｆｉブロードキャストメッセージに応じて無線アクセスポイント機能を有効にするように、当該指定のＷｉ-Ｆｉブロードキャストメッセージをブロードキャスト送信するための送信モジュール４０３とを備える。
【００５２】
その中、生成モジュール４０２は、
指定のＷｉ-ＦｉブロードキャストメッセージにおけるＳＳＩＤフィールドにおいて、ＳＳＩＤフィールドにおけるコンテンツを制御イベントに対応するＳＳＩＤに設定する。
【００５３】
その中、指定のＷｉ-Ｆｉブロードキャストメッセージは、ａｓｓｏｃｉａｔｉｏｎ ｒｅｑｕｅｓｔメッセージである。
【００５４】
その中、装置は、さらに、
ユーザが制御応用において指定の操作を行った場合、スマート機器に対する制御イベントがトリガされたことを検出したと特定するための第１の特定モジュール４０４を備える。
【００５５】
本開示の実施例は、スマート機器に対する制御イベントがトリガされたときに、制御イベントに対応するＳＳＩＤに基づいて指定のＷｉ-Ｆｉブロードキャストメッセージを生成し、当該指定のＷｉ-Ｆｉブロードキャストメッセージをブロードキャストすることで、当該指定のＷｉ-Ｆｉブロードキャストメッセージを受信したスマート機器が自身の無線アクセスポイント機能を有効にする。これにより、スマート機器が無線アクセスポイント機能を有効にする操作手順が簡素化され、スマート機器の利用効率が向上する。
【００５６】
上記実施例で提供される無線アクセスポイントの制御方法に対応して、本開示の別の実施例は、図５に示すように、無線アクセスポイントの制御装置を提供する。当該装置は、
指定のＷｉ-Ｆｉブロードキャストメッセージを受信するための受信モジュール５０１と、
指定のＷｉ-Ｆｉブロードキャストメッセージに携えられたＳＳＩＤを取得するための第２の取得モジュール５０２と、
指定のＷｉ-Ｆｉブロードキャストメッセージに携えられたＳＳＩＤが指定のＳＳＩＤと同じであるかどうかを特定するための第２の特定モジュール５０３と、
指定のＷｉ-Ｆｉブロードキャストメッセージに携えられたＳＳＩＤが指定のＳＳＩＤと同じである場合、自分が無線アクセスポイント機能を有効にするように制御するための制御モジュール５０４とを備える。
【００５７】
本開示の実施例は、指定のＷｉ-Ｆｉブロードキャストメッセージが受信されると、自身の無線アクセスポイント機能を有効にする。これにより、スマート機器が無線アクセスポイント機能を有効にする操作手順が簡素化され、スマート機器の利用効率が向上する。
【００５８】
上記実施例で提供される無線アクセスポイントの制御装置に対応して、本開示の別の実施例は、図６に示すように、端末６００を提供する。例えば、端末６００は、携帯電話、コンピュータ、デジタル放送端末、メッセージ送受信機器、ゲームコンソール、タブレットデバイス、医療設備、フィットネス機器、ＰＤＡなどであってもよい。
【００５９】
図６を参照し、端末６００は、処理ユニット６０２、メモリ６０４、電力ユニット６０６、マルチメディアユニット６０８、オーディオユニット６１０、入力／出力（Ｉ／Ｏ）のインターフェース６１２、センサユニット６１４、および、通信ユニット６１６のうちの１つまたは複数を含んでもよい。
【００６０】
処理ユニット６０２は通常、端末６００の全般操作、例えば、表示、電話発呼、データ通信、カメラ操作及び記録操作に関連する操作を制御する。処理ユニット６０２は、前記方法のステップの全部又は一部を実行するように、指令を実行する１つ又は複数のプロセッサ６２０を備えてもよい。また、処理ユニット６０２は、処理ユニット６０２と他のユニットとの間の相互作用を容易にするように、１つ又は複数のモジュールを備えてもよい。例えば、処理ユニット６０２は、マルチメディアユニット６０８と処理ユニット６０２との間の相互作用を容易にするように、マルチメディアモジュールを備えてもよい。
【００６１】
メモリ６０４は、端末６００での操作をサポートするために、各種別のデータを記憶するように構成される。これらデータの例示は、端末６００で操作する如何なるアプリケーションプログラムまたは方法の指令、連絡人データ、電話帳データ、メッセージ、ピクチャ、映像などを含む。メモリ６０４は、如何なる種別の揮発性もしくは不揮発性記憶デバイスまたはそれらの組合せ、例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクによって実現されてもよい。
【００６２】
電力ユニット６０６は、端末６００のユニットのそれぞれに電力を供給する。電力ユニット６０６は、電源管理システム、１つまたは複数の電源、並びに、端末６００用の電力を生成、管理および配分するに関する他のユニットを含んでもよい。
【００６３】
マルチメディアユニット６０８は、端末６００とユーザとの間に1つの出力インターフェースを供給するスクリーンを備える。一部の実施例では、スクリーンは、液晶ディスプレイ（ＬＣＤ）およびタッチパネル（ＴＰ）を含んでも良い。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチまたはスライド動作の境界を感知するだけではなく、前記タッチまたはスライド操作と関連する持続時間および圧力をさらに検出することができる。一部の実施例では、マルチメディアユニット６０８は、１つのフロントカメラおよびバックカメラまたはいずれか一方を含む。端末６００が操作モード、例えば、撮像モードまたは映像モードにあるとき、フロントカメラおよびバックカメラまたはいずれか一方は、外部のマルチメディアデータを受信することができる。フロントカメラおよびバックカメラのそれぞれは、１つの固定の光学レンズシステムであってもよいし、焦点距離および光学ズーム能力を有するものであってもよい。
【００６４】
オーディオユニット６１０は、オーディオ信号を出力および入力またはいずれかを行うように構成される。例えば、オーディオユニット６１０は、マイク（ＭＩＣ）を備え、端末６００が操作モード、例えば、発呼モード、記録モードおよび音声識別モードにあるとき、マイクは、外部オーディオ信号を受信するように構成される。受信されたオーディオ信号は、さらに、メモリ６０４に記憶される、または、通信ユニット６１６を介して送信されることができる。一部の実施例では、オーディオユニット６１０は、さらに、オーディオ信号を出力するためのスピーカをさらに含む。
【００６５】
Ｉ/Ｏインターフェース６１２は、処理ユニット６０２とペリフェラルインターフェースモジュールとの間でインターフェースを供給するものであり、前記ペリフェラルインターフェースモジュールは、キーボード、クリックホイール、ボタンなどであってもよい。これらのボタンは、ホームページボタン、ボリュームボタン、起動ボタンおよびロックボタンを含んでも良いが、それらに限定されない。
【００６６】
センサユニット６１４は、いろんな方面での状態推定を端末６００に供給するための１つまたは複数のセンサを含む。例えば、センサユニット６１４は、端末６００のオン/オフ状態、ユニットの相対位置を検出することができ、例えば、前記ユニットは、端末６００のディスプレイおよびテンキーである。センサユニット６１４は、さらに、端末６００もしくは端末６００の１つのユニットの位置変更、ユーザと端末６００との接触の存在もしくは不存在、端末６００の方位または加速/減速および端末６００の温度変化をさらに検出することができる。センサユニット６１４は、如何なる物理的接触もないとき、近辺にある物体の存在を検出するための近接センサを含んでもよい。センサユニット６１４は、さらに、イメージングアプリケーションに使用される光センサ、例えばＣＭＯＳまたはＣＣＤ画像センサを含んでも良い。一部の実施例では、当該センサユニット６１４は、さらに、加速度センサ、ジャイロセンサ、磁気センサ、圧力センサまたは温度センサを含んでもよい。
【００６７】
通信ユニット６１６は、端末６００と他の機器間の有線または無線方式の通信が便利になるように構成される。端末６００は、通信規格に基づく無線ネットワーク、例えば、ＷｉＦｉ、２Ｇもしくは３Ｇ、またはそれらの組合せにアクセスすることができる。ある実施例では、通信ユニット６１６は、外部ブロードキャスト管理システムからのブロードキャスト信号またはブロードキャスト関連情報をブロードキャストチャネルを介して受信する。ある実施例では、前記通信ユニット６１６は、さらに、短距離通信を容易にするように、短距離通信（ＮＦＣ）モジュールを含んでも良い。例えば、ＮＦＣモジュールでは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【００６８】
実施例では、端末６００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【００６９】
実施例では、指令を含む非一時的コンピュータ読み取り可能な記憶媒体、例えば、指令を含むメモリ６０４をさらに提供し、上記指令が端末６００のプロセッサ６２０によって実行されることで上述した方法を実施させることができる。例えば、非一時的コンピュータ読み取り可能な記憶媒体は、ＲＯＭ、ランダムアクセスメモリ（ＲＡＭ）、ＣＤ-ＲＯＭ、磁気テープ、フロッピー（登録商標）ディスクおよび光データ記憶機器などであっても良い。
【００７０】
本開示の実施例は、スマート機器に対する制御イベントがトリガされたときに、制御イベントに対応するＳＳＩＤに基づいて指定のＷｉ-Ｆｉブロードキャストメッセージを生成し、当該指定のＷｉ-Ｆｉブロードキャストメッセージをブロードキャストすることで、当該指定のＷｉ-Ｆｉブロードキャストメッセージを受信したスマート機器が自身の無線アクセスポイント機能を有効にする。これにより、スマート機器が無線アクセスポイント機能を有効にする操作手順が簡素化され、スマート機器の利用効率が向上する。
【００７１】
上記実施例で提供される無線アクセスポイントの制御装置に対応して、本開示の別の実施例は、図７に示すように、スマート機器７００を提供する。例えば、スマート機器７００は、携帯電話、コンピュータ、デジタル放送端末、メッセージ送受信機器、ゲームコンソール、タブレットデバイス、医療設備、フィットネス機器、ＰＤＡなどであってもよい。好ましくは、スマート機器７００は、スマートルータ、スマート空気清浄機、スマート浄水器、スマートカメラ等であってもよい。
【００７２】
図７を参照し、スマート機器７００は、処理ユニット７０２、メモリ７０４、電力ユニット７０６、マルチメディアユニット７０８、オーディオユニット７１０、入力／出力（Ｉ／Ｏ）のインターフェース７１２、センサユニット７１４、および、通信ユニット７１６のうちの１つまたは複数を含んでもよい。
【００７３】
処理ユニット７０２は通常、スマート機器７００の全般操作、例えば、表示、電話発呼、データ通信、カメラ操作及び記録操作に関連する操作を制御する。処理ユニット７０２は、前記方法のステップの全部又は一部を実行するように、指令を実行する１つ又は複数のプロセッサ７２０を備えてもよい。また、処理ユニット７０２は、処理ユニット７０２と他のユニットとの間の相互作用を容易にするように、１つ又は複数のモジュールを備えてもよい。例えば、処理ユニット７０２は、マルチメディアユニット７０８と処理ユニット７０２との間の相互作用を容易にするように、マルチメディアモジュールを備えてもよい。
【００７４】
メモリ７０４は、スマート機器７００での操作をサポートするために、各種別のデータを記憶するように構成される。これらデータの例示は、スマート機器７００で操作する如何なるアプリケーションプログラムまたは方法の指令、連絡人データ、電話帳データ、メッセージ、ピクチャ、映像などを含む。メモリ７０４は、如何なる種別の揮発性もしくは不揮発性記憶デバイスまたはそれらの組合せ、例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクによって実現されてもよい。
【００７５】
電力ユニット７０６は、スマート機器７００のユニットのそれぞれに電力を供給する。電力ユニット７０６は、電源管理システム、１つまたは複数の電源、並びに、スマート機器７００用の電力を生成、管理および配分するに関する他のユニットを含んでもよい。
【００７６】
マルチメディアユニット７０８は、スマート機器７００とユーザとの間に1つの出力インターフェースを供給するスクリーンを備える。一部の実施例では、スクリーンは、液晶ディスプレイ（ＬＣＤ）およびタッチパネル（ＴＰ）を含んでも良い。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチまたはスライド動作の境界を感知するだけではなく、前記タッチまたはスライド操作と関連する持続時間および圧力をさらに検出することができる。一部の実施例では、マルチメディアユニット７０８は、１つのフロントカメラおよびバックカメラまたはいずれか一方を含む。スマート機器７００が操作モード、例えば、撮像モードまたは映像モードにあるとき、フロントカメラおよびバックカメラまたはいずれか一方は、外部のマルチメディアデータを受信することができる。フロントカメラおよびバックカメラのそれぞれは、１つの固定の光学レンズシステムであってもよいし、焦点距離および光学ズーム能力を有するものであってもよい。
【００７７】
オーディオユニット７１０は、オーディオ信号を出力および入力またはいずれかを行うように構成される。例えば、オーディオユニット７１０は、マイク（ＭＩＣ）を備え、スマート機器７００が操作モード、例えば、発呼モード、記録モードおよび音声識別モードにあるとき、マイクは、外部オーディオ信号を受信するように構成される。受信されたオーディオ信号は、さらに、メモリ７０４に記憶される、または、通信ユニット７１６を介して送信されることができる。一部の実施例では、オーディオユニット７１０は、さらに、オーディオ信号を出力するためのスピーカをさらに含む。
【００７８】
Ｉ/Ｏインターフェース７１２は、処理ユニット７０２とペリフェラルインターフェースモジュールとの間でインターフェースを供給するものであり、前記ペリフェラルインターフェースモジュールは、キーボード、クリックホイール、ボタンなどであってもよい。これらのボタンは、ホームページボタン、ボリュームボタン、起動ボタンおよびロックボタンを含んでも良いが、それらに限定されない。
【００７９】
センサユニット７１４は、いろんな方面での状態推定をスマート機器７００に供給するための１つまたは複数のセンサを含む。例えば、センサユニット７１４は、スマート機器７００のオン/オフ状態、ユニットの相対位置を検出することができ、例えば、前記ユニットは、スマート機器７００のディスプレイおよびテンキーである。センサユニット７１４は、さらに、スマート機器７００もしくはスマート機器７００の１つのユニットの位置変更、ユーザとスマート機器７００との接触の存在もしくは不存在、スマート機器７００の方位または加速/減速およびスマート機器７００の温度変化をさらに検出することができる。センサユニット７１４は、如何なる物理的接触もないとき、近辺にある物体の存在を検出するための近接センサを含んでもよい。センサユニット７１４は、さらに、イメージングアプリケーションに使用される光センサ、例えばＣＭＯＳまたはＣＣＤ画像センサを含んでも良い。一部の実施例では、当該センサユニット７１４は、さらに、加速度センサ、ジャイロセンサ、磁気センサ、圧力センサまたは温度センサを含んでもよい。
【００８０】
通信ユニット７１６は、スマート機器７００と他の機器間の有線または無線方式の通信が便利になるように構成される。スマート機器７００は、通信規格に基づく無線ネットワーク、例えば、ＷｉＦｉ、２Ｇもしくは３Ｇ、またはそれらの組合せにアクセスすることができる。ある実施例では、通信ユニット７１６は、外部ブロードキャスト管理システムからのブロードキャスト信号またはブロードキャスト関連情報をブロードキャストチャネルを介して受信する。ある実施例では、前記通信ユニット７１６は、さらに、短距離通信を容易にするように、短距離通信（ＮＦＣ）モジュールを含んでも良い。例えば、ＮＦＣモジュールでは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【００８１】
実施例では、スマート機器７００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【００８２】
実施例では、指令を含む非一時的コンピュータ読み取り可能な記憶媒体、例えば、指令を含むメモリ７０４をさらに提供し、上記指令がスマート機器７００のプロセッサ７２０によって実行されることで上述した方法を実施させることができる。例えば、非一時的コンピュータ読み取り可能な記憶媒体は、ＲＯＭ、ランダムアクセスメモリ（ＲＡＭ）、ＣＤ-ＲＯＭ、磁気テープ、フロッピー（登録商標）ディスクおよび光データ記憶機器などであっても良い。
【００８３】
本開示の実施例は、指定のＷｉ-Ｆｉブロードキャストメッセージが受信されると、自身の無線アクセスポイント機能を有効にする。これにより、スマート機器が無線アクセスポイント機能を有効にする操作手順が簡素化され、スマート機器の利用効率が向上する。
【００８４】
当業者は明細書を考慮し、ここに公開された開示を実践した後、本開示の他の実施案を容易に想到する。本願は、本開示の如何なる変形、用途または適応的変化もカバーすることを意図する。これらの変形、用途または適応的変化は、本開示の一般的な仕組みに従い、かつ、本開示に開示されていない当分野における公知常識または慣用技術手段を含む。明細書及び実施例は単なる例示と見なされ、本開示の本当の範囲及び思想は添付の特許請求の範囲によって与えられる。
【００８５】
本開示が以上で記述されて図面に示された正確な構造に限定されるものでなく、その要旨を逸脱しない範囲で様々な補正や変更も可能であることは理解されるべきである。本開示の範囲は、添付する特許請求の範囲のみによって限定される。
【００８６】
本発明は、出願番号が２０１５１０１４９４８３.６であり、出願日が２０１５年３月３１日である中国特許出願を基に提出するものであり、当該中国特許出願の優先権を主張し、当該中国特許出願の全ての内容は、参照のため本願に援用される。
【図１】
0006556832.tif 000002
【図２】
0006556832.tif 000003
【図３】
0006556832.tif 000004
【図４】
0006556832.tif 000005
【図５】
0006556832.tif 000006
【図６】
0006556832.tif 000007
【図７】
0006556832.tif 000008